(57)【要約】【課題】容器体内圧が上昇しても、収納物吸飲の際には簡単に減圧してノズルからの液の飛び出し等を防止でき、また、その取り扱いも便利であり、構造も簡単な飲料容器を提案する。【解決手段】容器体２の口部へノズル３付きキャップ本体４を嵌合させ、該本体上にノズル閉塞部付き蓋体５を開閉可能に設けた飲料容器であって、蓋体５外方のキャップ本体４に容器体２内と外部を連通する連通孔46を形成し、蓋体５の表面を移動可能に装着し、且つ連通孔46を開閉可能に閉塞する閉塞栓９を設けた。【選択図】図１
2005280714.tif 000002
【特許請求の範囲】
【請求項１】
上端開口の容器体２と、該容器体口部へ嵌合させたノズル３付きキャップ本体４と、該キャップ本体４上に開閉可能に設けた蓋体５とを備え、前記蓋体５外方のキャップ本体４に容器体２内と外部を連通する連通孔46を形成し、前記蓋体５の表面を移動可能に装着し且つ前記連通孔46を開閉可能に閉塞する閉塞栓９を設けたことを特徴とする飲料容器。
【請求項２】
前記連通孔46の閉塞状態から移動した前記閉塞栓９を係止する係止面53を、前記閉塞栓９による蓋体開放が可能な前記蓋体５表面位置に設けてなる請求項１記載の飲料容器。
【請求項３】
前記容器体２に把手６を設けてなる請求項１記載の飲料容器。
【請求項４】
前記ノズル３上面に設けた弾力性に富んだ材質で形成されてなるパッキン層31と、該パッキン層31に圧接して前記ノズル上端開口を閉塞する前記蓋体５の裏面とで構成したノズル閉塞部を設けてなる請求項１記載の飲料容器。
【発明の詳細な説明】
【技術分野】
【０００１】
本発明は飲料容器、特に吸口付きの液体収納容器であって、幼児，高齢者，成人向けの流動食やミルク，紅茶，更には競技者向けのスポーツ飲料等を吸飲し易くした飲料容器に関する。
【背景技術】
【０００２】
この種容器として、容器体のキャップ頂壁に吸口部材を穿設させたもの（特許文献１）、及び、該文献１の容器と同様の構成に於いてその吸口部材から容器体内底部へストローを垂設したもの（特許文献２）が知られている。
【特許文献１】特開２００２−３２１７５５号公報
【特許文献２】特開２００２−３２１７５６号公報
【発明の開示】
【発明が解決しようとする課題】
【０００３】
上記特許文献２の容器は、吸口を有するから、容器体内の内容物を吸飲し易い反面、ミルクなどを加熱して収納した場合に容器体内の空気が高圧化するおそれがあり、そうなると蓋体を外した時に内容物が吸い出し口から溢れ出す可能性がある。
【０００４】
本発明は上記した点に鑑みてなされたもので、種々の原因で容器体内圧が上昇しても、収納物吸飲の際には簡単に減圧してノズルからの液の飛び出し等を防止でき、また、その取り扱いも便利であり、減圧処理を忘れることがなく、構造も簡単な飲料容器を提案するものである。
【課題を解決するための手段】
【０００５】
第１の手段として、上端開口の容器体２と、該容器体口部へ嵌合させたノズル３付きキャップ本体４と、該キャップ本体４上に開閉可能に設けた蓋体５とを備え、前記蓋体５外方のキャップ本体４に容器体２内と外部を連通する連通孔46を形成し、前記蓋体５の表面を移動可能に装着し且つ前記連通孔46を開閉可能に閉塞する閉塞栓９を設けたことを特徴とする。
【０００６】
第２の手段として、前記第１の手段に於いて、前記連通孔46の閉塞状態から移動した前記閉塞栓９を係止する係止面53を、前記閉塞栓９による蓋体開放が可能な前記蓋体５表面位置に設けた。
【０００７】
第３の手段として、前記第１の手段に於いて、前記容器体２に把手６を設けた。
【０００８】
第４の手段として、前記第１の手段に於いて、前記ノズル３上面に設けた弾力性に富んだ材質で形成されてなるパッキン層31と、該パッキン層31に圧接して前記ノズル上端開口を閉塞する前記蓋体５の裏面とで構成したノズル閉塞部を設けた。
【発明の効果】
【０００９】
本発明の飲料容器は、蓋体５の表面を移動可能で且つ連通孔46を開閉可能に閉塞する閉塞栓９を設けているため、加熱した収納物や外気の温度変化により容器体内圧が上昇しても、使用に当たり閉塞栓９を連通孔46より外せば減圧されてノズル３から液が飛び出す等の不都合はなく、また、閉塞栓９は蓋体５の表面を移動可能に設けているため、開蓋してのノズル吸飲時などに邪魔にならず、紛失の虞れも無い。  
【００１０】
また、連通孔46の閉塞状態から移動した閉塞栓９を係止する係止面53を、閉塞栓９による開蓋が可能な蓋体５表面位置に設けてなるものにあっては、閉塞栓９を移動して連通孔46を開放した動きの中でそのまま開蓋をすることができ、取り扱いがより便利となる。また、開蓋は連通孔46開放後に始まるので減圧前のノズル３の閉塞は確実に行える。
【００１１】
また、前記容器体２外周に嵌合させるとともに、容器体２外面に突設した突部23外周に係合する係合部61を凹設した装着リング62と、該装着リング62より突設した把持部63とからなる把手６を着脱可能に設けてなるものにあっては、収納物が高温のものであっても持ち易く、また、その取り外し，取り付けも極めて容易である。
【００１２】
更に、前記ノズル閉塞部が、前記ノズル３上面に設けた弾力性に富んだ材質で形成されてなるパッキン層31と、該パッキン層31に圧接して前記ノズル上端開口を閉塞する前記蓋体５の裏面とで構成してなるものにあっては、ノズル３先端開口の充分な密閉性を得られるとともに、特別な占有部分を要さず、コンパクトに形成できる。
【発明を実施するための最良の形態】
【００１３】
以下、本発明の実施例の形態を図面を参照して説明する。
【００１４】
本発明の飲料容器１は、容器体２と、ノズル３付きキャップ本体４と、蓋体５，把手６とを備えている。
【００１５】
容器体２は、上端を開口したもので、図示例では底壁21周縁より周壁22を立設した有底円筒状をなし、周壁22の外面には把手を係止させるための突部23を突設している。
【００１６】
キャップ本体４は容器体２の口部へ嵌合させたもので、ノズル３を付設して容器体２内の収納液を吸飲できる如く構成している。図示例では、容器体２の周壁22外周に嵌合した装着筒41の上端より頂板42を延設している。頂板42は、前部が半円形の稜線を備えた傾斜面となる如く中央を山形に隆起し、傾斜面に円筒状に膨出させた膨出部42a を形成し、膨出部42a の中央にはノズル３を突設させるための窓孔43を設け、窓孔43周縁より下方へ嵌合筒部44を突設している。また、頂板42の後部上面には蓋体５を軸着する軸受45を設けている。そして、装着筒41を容器体２の周壁22外周上端部に螺着し、また、頂板42の下面周縁部と容器体２上面との間にパッキン７を介在させてこの部分に液密性を付与している。      
【００１７】
ノズル３は容器体２内の収納液を吸飲するためのもので、先端部を頂板上に突出しており、下端に嵌着した吸上げパイプ８を容器体２内下部に垂下させている。図示例に於いて、ノズル３は、筒状の本体3a外面にフランジ3bを突設した形態をなし、また、フランジ3bの外周から上面及びフランジ3b上方の本体3a外周及び上面をエラストマー等の柔軟な材質で形成されたパッキン層31に構成している。このパッキン層31を設けることにより当接部分の気密性，液密性を向上し、また、キャップとの嵌合部分のガタツキを防止してより確実な嵌合が行える。パッキン層31を形成する方法は種々の公知方法を採用できる。そして、先端を頂板42上方に突出し、下端を頂板42下方に突出し，フランジ3bを嵌合筒部44の裏面に当接させ、更にフランジ上方部分を嵌合筒部44内に嵌着してキャップ本体４にノズル３を装着している。尚、ノズルはこの様な形態のものに限らず、キャップ本体の頂板上に突出した形態のものであれば良く、頂板と一体に形成しても良い。
【００１８】
蓋体５は、前記キャップ本体４上に開閉可能に設けたもので、ノズル閉塞部を備えている。図示例に於いて蓋体５は、ドーム状の本体部51と、該本体部51の後部より突設して前記軸受45に回動可能に軸着させた軸部52とからなり、本体部51周縁を上記膨出部42a の外周に開閉可能に嵌合させている。また、ノズル閉塞部は、閉蓋時にノズル先端開口を閉塞して蓋体内への不用意な液の突出するものであり、図示例では、本体部51裏面をノズル３の先端面に密接させてその開口を閉塞している。尚、ノズル閉塞部は、前記した構成に限られず、例えば、蓋体裏面より垂設した栓によりノズル先端開口を開閉可能に閉塞する如く構成しても良い。
【００１９】
本発明では、蓋体５の外方のキャップ本体４に容器体２内と外部とを連通する連通孔46を形成し、また、この連通孔46を開閉可能に閉塞する閉塞栓９を備えている。連通孔46は、使用前の容器体２内の圧力が高い場合に、ノズル３を開放する前に、減圧するためのものであり、図示例に於いて、連通孔46は前記膨出部42a 直前の頂板42に設けている。
【００２０】
閉塞栓９は、容器体２内の収納液が漏出するのを防止すべく連通孔46を閉塞し、また、必要に応じて上記した連通孔46の機能を発揮させるべく連通孔46を開放するためのものであり、蓋体５の表面を移動すべく構成している。図示例では、蓋体５の外面両側に両端を枢着した円弧帯状をなすベルト部91と、該ベルト部91下面より突設した栓部92と、ベルト部91を回動させるための摘み部93とから構成している。更に、蓋体５表面の所定位置には連通孔46の閉塞状態から移動して閉塞栓９を係止する係止面53を設けており、また、蓋体５の表面所定位置には、一対の小突出幅の係止突起54，55を突設しており、閉塞栓９が連通孔46に嵌着した状態でベルト部91の上面が下方の係止突起54に係止されて簡単に上方に回動しない様に構成している。また、同様にベルト部91が係止面53と当接した状態でベルト部91の下面が上方の係止突起55に係止される如く構成している。
【００２１】
把手６は、前記突部23と係合する係合部61を備えた装着リング62の両側より把持部63を突設して構成している。取り外す際には、例えば、容器体２に対して装着リング62を回動させることにより各突部23より係合部61を外して各突部23を装着リング62の裏面に強制的に移行し、その状態から容器体２に対して把手６を下方へ引き出せば容易に取り外すことができる。尚、係合部61は貫通して形成しているが、凹部形態のものであっても良い。また、把手は本実施形態のものに限らない。
【００２２】
上記の如く構成した飲料容器１を使用する場合に付いて説明する。図１の状態から、摘み部93を掴んで上方へ引き上げると、ベルト部91が上方へ回動し、栓部92が連通孔46より外れる。この際、容器体２内が加圧状態にある場合には連通孔46を介して減圧される。次いで、図２に示す如く、ベルト部91が係止面53と当接するまで回動させた後更に後方へ押し込むと、図３に示す如く、開蓋する。この状態で把手６の各把持部63を掴み、ノズル３から収納液を吸飲することができる。収納液吸飲の際には前記連通孔46が、負圧化した容器体２内への外気導入孔の役割を果たす。使用後は蓋体５を閉じ、次いでベルト部91を回動させて再び栓部92を連通孔46と嵌合させる。
【００２３】
図７は他の実施形態を示すもので、本形態では、図１の実施形態に於ける閉塞栓９に代えて、蓋体５表面を摺動移動する閉塞栓９を設けている。蓋体５前部下端より上方所定位置までの間を帯状のレール用凹部56を形成し、また、閉塞栓９は、レール用凹部56に摺動可能に嵌合させた板状の本体部94と、該本体部94下面より突設して連通孔46を閉塞する栓部92と、本体部94前面に突設した摘み部93とで構成している。その他の構成は図１の実施形態と同様である。
【図面の簡単な説明】
【００２４】
【図１】本発明飲料容器の縦断面図である。（実施例１）
【図２】本発明飲料容器の縦断面図である。（実施例１）
【図３】本発明飲料容器の縦断面図である。（実施例１）
【図４】本発明飲料容器の正面図である。（実施例１）
【図５】本発明飲料容器の把手を外した状態の側面図である。（実施例１）
【図６】本発明飲料容器に於ける把手の斜視図である。（実施例１）
【図７】本発明飲料容器の正面図である。（実施例２）
【符号の説明】
【００２５】
２…容器体，３…ノズル，４…キャップ本体，５…蓋体，６…把手，９…閉塞栓，
31…パッキン層，46…連通孔，53…係止面，61…係合部，62…装着リンク，63…把持部
【図１】
2005280714.tif 000003
【図２】
2005280714.tif 000004
【図３】
2005280714.tif 000005
【図４】
2005280714.tif 000006
【図５】
2005280714.tif 000007
【図６】
2005280714.tif 000008
【図７】
2005280714.tif 000009